(57)【要約】【課題】新規な演出動作によって趣向性を向上させることが可能な遊技機の提供を目的とする。【解決手段】本発明のパチンコ遊技機１０は、パチンコ遊技機１０の前後方向に移動可能な装飾用透光部材３２と、装飾用透光部材３２の前方を覆った閉位置と、装飾用透光部材３２の前方から退避した開位置との間で往復動可能な開閉部材３５，３６と、開閉部材３５，３６が閉位置から開位置へと移動しながら、装飾用透光部材３２が前進するように開閉部材３５，３６と装飾用透光部材３６とを連動させる連動手段を備えている。【選択図】図５
2014200515.tif 000002
【特許請求の範囲】
【請求項１】
遊技機の前後方向に移動可能な装飾用発光体と、
前記装飾用発光体の前方を覆った閉位置と、前記装飾用発光体の前方から退避した開位置との間で往復動可能な開閉部材と、
前記開閉部材が前記閉位置から前記開位置へと移動しながら、前記装飾用発光体が前進するように前記開閉部材と前記装飾用発光体とを連動させる連動手段を備えたことを特徴とする遊技機。
【請求項２】
前記開閉部材が対をなして設けられて、それら１対の前記開閉部材が遊技機の前後方向と直交する回転軸回りで接離するように構成され、
前記１対の開閉部材が前記閉位置から前記開位置へと回動する際に、一方の前記開閉部材が前方に迫り出し、他方の前記開閉部材が後方に引き下がるように構成されたことを特徴とする請求項１に記載の遊技機。
【請求項３】
遊技機の前後方向に直動可能なプランジャと、
前記プランジャを前記前後方向の一方に付勢するプランジャ付勢ばねと、
前記プランジャ付勢ばねに抗して前記プランジャを前記前後方向の他方に直動させるソレノイドとを備え、
前記連動手段は、前記プランジャの前記他方への直動によって前記装飾用発光体が前進するように前記プランジャと前記装飾用発光体とを連結した連結部と、
前記プランジャの前記他方への直動を、前記１対の開閉部材の回動に変換する動力変換機構とを備えたことを特徴とする請求項２に記載の遊技機。
【請求項４】
前記開閉部材は、遊技球が流下する遊技領域に配置され、
遊技球を模した球面を有しかつその球面が透光性を有する金属調装飾膜で覆われた装飾用透光部材を、前記装飾用発光体として備え、
前記装飾用透光部材の後方から前記装飾用透光部材に光を照射する発光源を固定配置したことを特徴とする請求項１乃至３の何れか１の請求項に記載の遊技機。
【請求項５】
遊技球が流下する遊技領域には前記遊技球が進入可能な入賞部が備えられ、前記開閉部材は前記入賞部の近傍に配置されたことを特徴とする請求項１乃至４の何れか１の請求項に記載の遊技機。
【請求項６】
前記開閉部材は、前記入賞部への遊技球の進入を起因にして開放可能とされ、
前記装飾用発光体は、前記開閉部材の開放時に発光するようにしたことを特徴とする請求項５に記載の遊技機。
【請求項７】
前記開閉部材の一部に透光窓を備えたことを特徴とする請求項１乃至６の何れか１の請求項に記載の遊技機。
【発明の詳細な説明】
【技術分野】
【０００１】
本発明は、遊技機に関する。
【背景技術】
【０００２】
従来の遊技機としては、操作ボタンとその操作ボタンを覆う立体造形カバーとからなる装飾装置を備えたものが知られている。この装飾装置は、通常時は、操作ボタンが立体造形カバーによって覆われ、操作ボタンの操作が必要になると、立体造形カバーが開くようになっている（例えば、特許文献１参照）。
【先行技術文献】
【特許文献】
【０００３】
【特許文献１】特開２００７−５５０号公報（段落［００６７］、第２図）
【発明の概要】
【発明が解決しようとする課題】
【０００４】
ところで、上述した従来の遊技機では、立体造形カバーの開放に伴い操作ボタンが点灯するようになっていたが、このような演出は新鮮味が薄れつつあり、新規な演出動作を行う遊技機の開発が求められていた。
【０００５】
本発明は、上記事情に鑑みてなされたものであって、新規な演出動作によって趣向性を向上させることが可能な遊技機の提供を目的とする。
【課題を解決するための手段】
【０００６】
上記目的を達成するためになされた請求項１の発明に係る遊技機は、遊技機の前後方向に移動可能な装飾用発光体と、装飾用発光体の前方を覆った閉位置と、装飾用発光体の前方から退避した開位置との間で往復動可能な開閉部材と、開閉部材が閉位置から開位置へと移動しながら、装飾用発光体が前進するように開閉部材と装飾用発光体とを連動させる連動手段を備えたところに特徴を有する。
【０００７】
請求項２の発明は、請求項１に記載の遊技機において、開閉部材が対をなして設けられて、それら１対の開閉部材が遊技機の前後方向と直交する回転軸回りで接離するように構成され、１対の開閉部材が閉位置から開位置へと回動する際に、一方の開閉部材が前方に迫り出し、他方の開閉部材が後方に引き下がるように構成されたところに特徴を有する。
【０００８】
請求項３の発明は、請求項２に記載の遊技機において、遊技機の前後方向に直動可能なプランジャと、プランジャを前後方向の一方に付勢するプランジャ付勢ばねと、プランジャ付勢ばねに抗してプランジャを前後方向の他方に直動させるソレノイドとを備え、連動手段は、プランジャの他方への直動によって装飾用発光体が前進するようにプランジャと装飾用発光体とを連結した連結部と、プランジャの他方への直動を、１対の開閉部材の回動に変換する動力変換機構とを備えたところに特徴を有する。
【０００９】
請求項４の発明は、請求項１乃至３の何れか１の請求項に記載の遊技機において、開閉部材は、遊技球が流下する遊技領域に配置され、遊技球を模した球面を有しかつその球面が透光性を有する金属調装飾膜で覆われた装飾用透光部材を、装飾用発光体として備え、装飾用透光部材の後方から装飾用透光部材に光を照射する発光源を固定配置したところに特徴を有する。
【００１０】
請求項５の発明は、請求項１乃至４の何れか１の請求項に記載の遊技機において、遊技球が流下する遊技領域には遊技球が進入可能な入賞部が備えられ、開閉部材は入賞部の近傍に配置されたところに特徴を有する。
【００１１】
請求項６の発明は、請求項５に記載の遊技機において、開閉部材は、入賞部への遊技球の進入を起因にして開放可能とされ、装飾用発光体は、開閉部材の開放時に発光するようにしたところに特徴を有する。
【００１２】
請求項７の発明は、請求項１乃至６の何れか１の請求項に記載の遊技機において、開閉部材の一部に透光窓を備えたところに特徴を有する。
【発明の効果】
【００１３】
［請求項１の発明］
請求項１の遊技機によれば、開閉部材が閉位置から開位置へと移動しながら、装飾用発光体が開閉部材の奥から遊技者側に向かって前進してくるという、従来にはない新規な演出動作により趣向性を向上させることが可能になる。
【００１４】
［請求項２の発明］
請求項２の発明によれば、１対の開閉部材が互いに離れるように開きながら、その奥から装飾用発光体が遊技者側に向かって前進してくる。このとき、１対の開閉部材のうちの一方が前方に迫り出し、他方が後方に引き下がることで、装飾用発光体が遊技者側に迫り来る印象を強調することが可能になる。
【００１５】
［請求項３の発明］
請求項３の発明によれば、開閉部材の開閉動作と装飾用発光体の直動動作を、共通のソレノイドを駆動源にして行うことが可能になる。
【００１６】
［請求項４の発明］
請求項４の発明によれば、開閉部材が開きながら、その奥から遊技球を模した装飾用透光部材が前進してくるので、あたかも遊技機の内部から遊技球が出てきたかのような演出を行うことが可能となる。また、その装飾用透光部材の後方に固定配置された発光源の光が、装飾用透光部材に照らされるから、あたかも遊技球が輝いているように見える。さらに、発光源と装飾用透光部材との距離が変化するから、装飾用透光部材を透過した光の見え方を変化させることが可能となる。
【００１７】
［請求項５の発明］
請求項５の発明によれば、開閉部材を入賞部の近傍に配置することで、それらの注目度を相互に高め合うことが可能となる。
【００１８】
［請求項６の発明］
請求項６の発明によれば、入賞部への遊技球の進入を起因にして、開閉部材が開放しながら、その奥から装飾用発光体が前進してくると共に、装飾用発光体が発光するので、入賞部に遊技球が進入したときの遊技の雰囲気をより盛り上げることが可能となる。
【００１９】
［請求項７の発明］
請求項７の発明によれば、開閉部材の一部から光が漏れることで、開閉部材が閉じているときの装飾性をより高めることが可能となる。
【図面の簡単な説明】
【００２０】
【図１】本発明の一実施形態に係るパチンコ遊技機の正面図
【図２】遊技板の正面図
【図３】可動装飾装置の正面図
【図４】可動装飾装置の開閉カバーが（Ａ）閉位置のときの正面図、（Ｂ）開位置のときの正面図、（Ｃ）ラッチ位置のときの正面図
【図５】可動装飾装置の開閉カバーが（Ａ）閉位置のときの斜視図、（Ｂ）開位置のときの斜視図、（Ｃ）ラッチ位置のときの斜視図
【図６】可動装飾装置の開閉カバーが（Ａ）閉位置のときの側面図、（Ｂ）開位置のときの側面図、（Ｃ）ラッチ位置のときの側面図
【図７】開閉カバーを取り除いた可動装飾装置の（Ａ）閉位置のときの斜視図、（Ｂ）開位置のときの斜視図、（Ｃ）ラッチ位置のときの斜視図
【図８】開閉カバーを取り除いた可動装飾装置の（Ａ）閉位置のときの側面図、（Ｂ）開位置のときの側面図、（Ｃ）ラッチ位置のときの側面図
【図９】開閉カバーが閉位置のときのラッチ機構の模式図
【図１０】開閉カバーが開位置のときのラッチ機構の模式図
【図１１】開閉カバーがラッチ位置のときのラッチ機構の模式図
【図１２】ラッチ状態からソレノイドを励磁したときのラッチ機構の模式図
【図１３】ラッチ解除状態に復帰したラッチ機構の模式図
【発明を実施するための形態】
【００２１】
以下、本発明を適用したパチンコ遊技機１０に係る一実施形態を、図１〜図１３に基づいて説明する。図１に示すように、パチンコ遊技機１０は、遊技球が流下可能な略円形の遊技領域Ｒ１を備え、その遊技領域Ｒ１をパチンコ遊技機１０の前面から視認可能となっている。遊技領域Ｒ１には、液晶表示装置１５が配置されており、液晶表示装置１５の周囲には、入賞ゲート１６、風車１７及び複数の入賞部１８，２０，２２，２３が配置されている。
【００２２】
遊技領域Ｒ１の下方には、遊技球を貯留可能な上皿１２及び下皿１３が上下二段にして設けられている。下皿１３の右側方には、発射操作ノブ１４が備えられ、この発射操作ノブ１４を回動操作することで、図示しない発射装置から遊技領域Ｒ１に向かって遊技球が発射される。遊技領域Ｒ１を流下する遊技球が、遊技領域Ｒ１に配置された各種入賞部１８，２０，２２，２３に入球すると、賞球として所定数の遊技球が上皿１２に払い出される。また、入賞部１８，２３への入球を契機として、液晶表示装置１５では表示演出が行われる。
【００２３】
図２には、遊技領域Ｒ１を前面に備えた遊技板１１が示されている。液晶表示装置１５は、遊技領域Ｒ１の向かって右上側に偏って配置されている。液晶表示装置１５は、表示装飾枠１５Ｗの奥側に液晶画面１５Ｇを備えている。表示装飾枠１５Ｗの上辺及び左右両側辺は、遊技板１１の前面から突出しているのに対し、表示装飾枠１５Ｗの下辺は遊技板１１の前面より奥まっており、その上面は、遊技球が転動可能なステージ１５Ｓとなっている。ステージ１５Ｓは、左右両端部から中央部に向かって下り傾斜しており、表示装飾枠１５Ｗの左側辺には、表示装飾枠１５Ｗの側方を流下する遊技球を、ステージ１５Ｓへと誘導するための誘導通路１５Ｔが設けられている。誘導通路１５Ｔから放出された遊技球は、ステージ１５Ｓ上を左右に往復動した後、ステージ１５Ｓの中央部から流下する。
【００２４】
液晶表示装置１５の右側方には入賞ゲート１６が設けられている。入賞ゲート１６は上下方向に貫通した門形構造をなし、遊技球が１つずつ通過可能となっている。
【００２５】
液晶表示装置１５におけるステージ１５Ｓの中央部下方には、第１始動入賞部１８が配置されている。第１始動入賞部１８は上面が開放したポケット構造をなしている。
【００２６】
第１始動入賞部１８の右側方には、大入賞部２０が設けられている。大入賞部２０は、遊技板１１の前面に開放した横長矩形の大入賞口２０Ａを有し、常には、その大入賞口２０Ａが横長の開閉扉２１にて閉鎖されている。開閉扉２１は、所定の条件が成立した場合（例えば、第１始動入賞部１８又は後述する第２始動入賞部２３への入賞時に行われた大当たり抽選で当選した場合）に前側に倒れて大入賞口２０Ａを開放し、その倒れた開閉扉２１を案内にして、大入賞口２０Ａに遊技球が進入可能となっている。
【００２７】
大入賞部２０のさらに右側には、普通入賞部２２が１つ設けられている。また、第１始動入賞部１８を挟んで大入賞部２０とは反対側には、複数（３つ）の普通入賞部２２，２２が並んで配置されている。これら普通入賞部２２は、第１始動入賞部１８と同様に上面が開放したポケット構造をなしている。
【００２８】
第１始動入賞部１８の下方には、第２始動入賞部２３が設けられている。図３に示すように、第２始動入賞部２３は、遊技板１１の前面に開放した始動入賞口２３Ａを備え、常には、その始動入賞口２３Ａが矩形の開閉扉２４にて閉鎖されている。開閉扉２４は、所定の条件が成立した場合（例えば、入賞ゲート１６への入賞時に行われた小当たり抽選で当選した場合）に前側に倒れて始動入賞口２３Ａが開放し、その倒れた開閉扉２４を案内にして始動入賞口２３Ａに遊技球が進入可能となっている。
【００２９】
図３に示すように、第２始動入賞部２３の下方と左右両側には、それぞれ独立した３つのアウト口１９が設けられている。上述した何れの入賞部１８，２０，２２，２３にも入らずに遊技領域Ｒ１の下端部まで達した遊技球は、これらアウト口１９によって回収される。中央のアウト口１９と左右のアウト口１９，１９は、それぞれ壁部１９Ｈ，１９Ｈによって区画されており、それら壁部１９Ｈ，１９Ｈの間には、第２始動入賞部２３と中央のアウト口１９とを連絡した縦孔１９Ａが形成されている。縦孔１９Ａの上端部には、開閉扉２４の下端部が回動可能に軸支されている。縦孔１９Ａは、遊技球が通過可能な大きさとなっており、その上面開口が、前側に倒れた開閉扉２４によって閉鎖可能となっている。
【００３０】
さて、図３に示すように、第１始動入賞部１８の真下かつ第２始動入賞部２３の真上には、可動装飾装置３０が設けられている。可動装飾装置３０は、第１始動入賞部１８及び第２始動入賞部２３と共通の固定ベース２５に組み付けられており、その固定ベース２５を介して遊技板１１に取り付けられている。
【００３１】
可動装飾装置３０は、パチンコ遊技機１０の前後方向に直動可能な装飾用透光部材３２（図７参照。本発明の「装飾用発光体」に相当する）と、その前方に配置された開閉カバー３５，３６（図５参照。本発明の「開閉部材」に相当する）と、それら装飾用透光部材３２の直動と開閉カバー３５，３６の開閉とを連動させる連動手段とを備えている。
【００３２】
図７（Ｂ）に示すように、装飾用透光部材３２は、遊技球を模した球面を有しかつその球面が透光性を有する金属調装飾膜で覆われている。また、装飾用透光部材３２の真後ろには、装飾用透光部材３２に光を照射するＬＥＤ３３Ａが固定配置されている。装飾用透光部材３２のうち、ＬＥＤ３３Ａとの対向面は、球状に湾曲した凹面となっている。また、ＬＥＤ３３Ａは、固定ベース２５に固定された回路基板３４に実装されている。
【００３３】
開閉カバー３５，３６は上下に対をなして設けられており、それら１対の開閉カバー３５，３６が互いに平行かつ水平な回転軸回りで回動可能となっている。１対の開閉カバー３５，３６は、図４（Ａ），図５（Ａ）及び図６（Ａ）に示す閉位置において、装飾用透光部材３２を前方から覆っており、その閉位置から互いに離れるように上下に回動する。そして、１対の開閉カバー３５，３６の開放動作に伴って、それら１対の開閉カバー３５，３６の間から装飾用透光部材３２が徐々に現れると共に、装飾用透光部材３２がパチンコ遊技機１０の前方（遊技者側）に直動（以下、「前進」という）するようになっている。以下、パチンコ遊技機１０の前方への直動を「前進」といい、パチンコ遊技機１０の後方への直動を「後退」という。
【００３４】
図４に示すように、１対の開閉カバー３５，３６は、パチンコ遊技機１０の演出内容に対応した所定の立体形状となっている。本実施形態では、例えば、液晶画面１５Ｇに登場するキャラクターの顔面を模した立体形状となっている。また、これら開閉カバー３５，３６は、「キャラクターの顔面」のうち「両眼」に相当する部分を除いた全体が、光を透過しない被膜（例えば、金属調被膜）で覆われており、「両眼」に相当する部分が、光を透過する透光窓３５Ａとなっている。また、回路基板３４にはＬＥＤ３３Ａとは別のＬＥＤ３３Ｂ（図７（Ｂ）及び同図（Ｃ）参照）が実装されており、そのＬＥＤ３３Ｂの光を、透光窓３５Ａ、即ち、キャラクターの両眼に相当する部分から外部に漏らすことができる。なお、本実施形態の透光窓３５Ａは透明又は半透明な透光部材で塞がれているが、透光窓３５Ａは、開閉カバー３５を貫通した孔でもよい。
【００３５】
１対の開閉カバー３５，３６のうち、上側の開閉カバー３５は、キャラクターの顔面における上顎より上側の部分を模した立体形状となっており、下側の開閉カバー３６は、キャラクターの顔面における下顎より下側の部分を模した立体形状になっている。以下、１対の開閉カバー３５，３６を区別する場合には、上側の開閉カバー３５を「第１開閉カバー３５」といい、下側の開閉カバーを「第２開閉カバー３６」という。
【００３６】
図８に示すように、連動手段は、固定ベース２５に対してパチンコ遊技機１０の前後方向に直動可能なプランジャ４１と、プランジャ４１をパチンコ遊技機１０の後方に付勢するプランジャ付勢ばね４２（具体的には、圧縮コイルばね）と、プランジャ付勢ばね４２に抗してプランジャ４１を吸引する（前進させる）ソレノイド４０とを備えている。ソレノイド４０は固定ベース２５に固定されている。
【００３７】
連動手段は、プランジャ４１の直動によって装飾用透光部材３２を前後方向に直動させるための力伝達バー４４を備えている。力伝達バー４４は、ソレノイド４０の下方で前後方向に延びており、その前端部には装飾用透光部材３２が一体に設けられている。一方、力伝達バー４４の後端部には、連結リング４５が一体に設けられており、その連結リング４５を、プランジャ４１が直動可能かつ抜け止め状態で貫通している。連結リング４５は、プランジャ４１と直交した平板状をなしており、その連結リング４５とソレノイド４０の後端面との間に、プランジャ付勢ばね４２が突っ張り状態で配置されている。
【００３８】
また、連動手段は、プランジャ４１の直動を、１対の開閉カバー３５，３６の回動に変換する動力変換機構を備えており、装飾用透光部材３２の前後方向への直動と、１対の開閉カバー３５，３６の開閉とを、共通のソレノイド４０を駆動源にして行うことが可能となっている。具体的には、図８に示すように、力伝達バー４４の前端寄り位置には、連結突壁４６が一体に設けられている。連結突壁４６は力伝達バー４４の上面から直角に起立しており、その先端部が前後方向で二股に分かれた先割れ形状をなしている。そして、連結突壁４６の先端部には、後述する第１カバー固定部材５０が連結されている。
【００３９】
図８に示すように、固定ベース２５には、ソレノイド４０の前方に突出した上下１対のヒンジ部２６，２７が備えられている。これら１対のヒンジ部２６，２７のうち、下側に配置された第２ヒンジ部２７は、水平方向で対向した１対のヒンジ片２７Ａ，２７Ａ（図面には片方のヒンジ片２７Ａのみが示されている）によって構成され、それら１対のヒンジ片２７Ａ，２７Ａの間に第２カバー固定部材６０が回動可能に支持されている。第２カバー固定部材６０は、その回転軸を中心にして相反する方向、即ち、上方及び下方に張り出したシーソー状をなしている。第２カバー固定部材６０のうち、１対のヒンジ片２７Ａ，２７Ａと対向した両側面には軸部６１，６１が突出形成されており、それら軸部６１，６１が１対のヒンジ片２７Ａ，２７Ａに形成された軸受孔に回転可能に支持されている。また、第２カバー固定部材６０のうち、その回転軸より下側部分には、横長矩形の挿通孔６０Ａが貫通形成されており、その挿通孔６０Ａに力伝達バー４４の先端寄り部分（詳細には、装飾用透光部材３２と連結突壁４６との中間部分）が遊嵌状態で挿通されている（図７参照）。なお、第２カバー固定部材６０のうち、挿通孔６０Ａよりも下側には、第２開閉カバー３６を取り付ける（螺子止めする）ための取付用孔６０Ｂが形成されている。
【００４０】
第２カバー固定部材６０の上端部は、その回転軸方向（パチンコ遊技機１０の左右方向）で二股に分かれており、その先割れ凹部を挟んで配置された１対の二股片同士の間には、第２カバー固定部材６０の回転軸と平行な第２連結バー６２が架け渡されている（図８参照）。
【００４１】
１対のヒンジ部２６，２７のうち、上側に配置された第１ヒンジ部２６は、水平方向で対向した１対のヒンジ片２６Ａ，２６Ａの間にヒンジピン２６Ｂを抜け止め状態で架け渡してなり、そのヒンジピン２６Ｂに、第１カバー固定部材５０が回転可能に支持されている。
【００４２】
第１カバー固定部材５０は、ヒンジピン２６Ｂの外側に嵌合した回転筒部５１を備え（図７（Ａ）参照）、その回転筒部５１の外側面から第２カバー固定部材６０に向かって連結アーム５２が突出している。連結アーム５２の下端部は、前後に二股に分かれた先割れ構造になっており、その先割れ凹部に、第２カバー固定部材６０の第２連結バー６２が受容されている。これにより、第１カバー固定部材５０と第２カバー固定部材６０とが、互いに逆向きに回転するように連結されている。なお、第２カバー固定部材６０の回転軸（軸部６１，６１）は、第１カバー固定部材５０の回転軸（ヒンジピン２６Ｂ）よりも、パチンコ遊技機１０の前方に配置されている。
【００４３】
第１カバー固定部材５０は、連結アーム５２の後方に１対の固定板５３，５３を備えている（図５〜図８には、一方の固定板５３のみが示されている）。また、これら固定板５３，５３と連結アーム５２との間は、中間板５４によって連結されている。１対の固定板５３，５３は、第１カバー固定部材５０の回転軸方向（パチンコ遊技機１０の左右方向）に離して配置されている。また、これら１対の固定板５３，５３には、第１開閉カバー３５を螺子止めするための螺子挿通孔５３Ａ，５３Ａが形成されている（図７参照）。さらに、１対の固定板５３，５３同士の間には、第１連結バー５５が架け渡されており（図７（Ｂ）及び同図（Ｃ）参照）、この第１連結バー５５が、力伝達バー４４から起立した連結突壁４６の先割れ凹部に受容されている。
【００４４】
これにより、力伝達バー４４がパチンコ遊技機１０の前後方向に直動すると、装飾用透光部材３２が前後方向に直動すると共に、第１カバー固定部材５０と第２カバー固定部材６０とが、それぞれの回転軸を中心にして互いに相反する方向に回動して、上下１対の開閉カバー３５，３６が開閉動作をする。即ち、１対の開閉カバー３５，３６が互いに接近したり離れたり（接離）する。ここで、第１開閉カバー３５は、閉位置において第１カバー固定部材５０の回転軸（ヒンジピン２６Ｂ）より下側に配置されているので、図６（Ａ）から同図（Ｂ）への変化に示すように、閉位置から開位置に向かって開放動作する過程で、パチンコ遊技機１０の前方に迫り出す。一方、第２開閉カバー３６は、閉位置において第２カバー固定部材６０の回転軸（軸部６１，６１）より下側に配置されているので、図６（Ａ）から同図（Ｂ）への変化に示すように、閉位置から開位置に向かって開放動作する過程で、パチンコ遊技機１０の後方に引き下がる。
【００４５】
可動装飾装置３０の後端部には、ソレノイド４０によってプランジャ４１が吸引される度に、プランジャ付勢ばね４２に抗して装飾用透光部材３２の後退を規制するラッチ状態と、プランジャ付勢ばね４２の付勢力による装飾用透光部材３２の後退を許容するラッチ解除状態とに交互に切り替わるラッチ機構７０が備えられている。以下、ラッチ機構７０について説明するが、ラッチ機構７０の原理は、例えば、ノック式ボールペンに採用されている、所謂、「ダブルノック機構」或いは「カーン式ノック機構」と同じである。
【００４６】
ラッチ機構７０は、プランジャ４１と同軸上に配置されてプランジャ４１と共に直動可能な直動リング７１及び回転リング７４（図７及び図８参照）と、固定ベース２５に固定されて直動リング７１及び回転リング７４を直動可能に受容した固定筒部７７（図５及び図６参照）とから構成されている。
【００４７】
直動リング７１は、プランジャ４１の先端部に抜け止め状態で取り付けられている。図８に示すように、直動リング７１のうち、回転リング７４側の端面の外縁部には環状カム面７１Ａが形成されている。環状カム面７１Ａは、直動リング７１の全周に亘って連続した鋸歯状をなしている。また、直動リング７１の外周面には、径方向外側に張り出した複数のガイド翼片７２が形成されている。ガイド翼片７２は、プランジャ４１の軸方向（パチンコ遊技機１０の前後方向）と平行な平板状をなしている。
【００４８】
回転リング７４は、直動リング７１と、力伝達バー４４の連結リング４５との間に挟まれており、プランジャ４１に対して直動可能かつ回転可能に支持されている。回転リング７４の外周面には、径方向外側に張り出した複数の係止翼片７５が形成されている。係止翼片７５は、回転リング７４の外周面を均等分（具体的には、６等分）した位置に配置されている。また、係止翼片７５は、プランジャ４１の軸方向（パチンコ遊技機１０の前後方向）と平行な平板状をなしており、回転リング７４における直動リング７１側の端面から直動リング７１に向かって突出している。さらに、係止翼片７５の先端には、回転リング７４の周方向の一方に向かうに従って後方に迫り出した先端傾斜面７５Ａが形成されており、その先端傾斜面７５Ａと環状カム面７１Ａとが当接可能となっている。
【００４９】
図６に示すように、固定筒部７７の内周面には、複数のガイド溝７７Ｍが形成されている。ガイド溝７７Ｍは、回転リング７４に形成された複数の係止翼片７５に対応して、固定筒部７７の内周面を均等分（具体的には、６等分）した位置に形成されており、固定筒部７７の軸方向の中間部より後側で軸方向に延びている。これらガイド溝７７Ｍには、係止翼片７５と直動リング７１のガイド翼片７２とがスライド可能に係合している。
【００５０】
固定筒部７７の内周面のうち、周方向で隣り合ったガイド溝７７Ｍ同士の間にはそれぞれラッチ突部７８が形成されている。これらラッチ突部７８は、ガイド溝７７Ｍによって固定筒部７７の周方向で互いに隔てられている。換言すれば、固定筒部７７の内周面には、その周方向で均等配置された複数のラッチ突部７８が形成されており、周方向で隣り合ったラッチ突部７８同士の間が、それぞれガイド溝７７Ｍとなっている。
【００５１】
ラッチ突部７８の前端面には、互いに不連続な１対の傾斜面７８Ａ，７８Ｂが形成されている。これら傾斜面７８Ａ，７８Ｂは、周方向の一方（回転リング７４の回転方向）に向かうに従って後退するように傾斜している。また、これら傾斜面７８Ａ，７８Ｂ同士の間には、周方向の他方を向いた段差面７８Ｃが形成されている。以下、段差面７８Ｃを挟んで配置された１対の傾斜面７８Ａ，７８Ｂのうち、段差面７８Ｃよりも周方向の一方側に配置された方を「第２傾斜面７８Ｂ」といい、他方を「第１傾斜面７８Ａ」という。
【００５２】
例えば、図８（Ａ）に示すように、プランジャ４１、回転リング７４及び直動リング７１が後退端に位置する状態で、ソレノイド４０が励磁されてプランジャ４１が前進すると、図８（Ａ）から同図（Ｂ）への変化に示すように、直動リング７１が回転リング７４を後方から押して、それら回転リング７４及び直動リング７１が、ガイド溝７７Ｍを案内にして固定筒部７７内を前進する。図８（Ｂ）に示すように、プランジャ４１が前進端に到達すると、回転リング７４に備えた複数の係止翼片７５がそれぞれガイド溝７７Ｍから抜けて、ガイド溝７７Ｍと係止翼片７５との係合による回転リング７４の回転規制が解除される。すると、図９から図１０への変化に示すように、係止翼片７５の先端傾斜面７５Ａが、環状カム面７１Ａと摺接して、回転リング７４が周方向の一方に回動し、係止翼片７５の先端がラッチ突部７８の第１傾斜面７８Ａと対峙する。
【００５３】
この状態で、ソレノイド４０の励磁が停止すると、図８（Ｂ）から同図（Ｃ）への変化に示すように、プランジャ付勢ばね４２の付勢力によって回転リング７４及び直動リング７１がプランジャ４１と共に後退する。このとき、図１１に示すように、係止翼片７５の先端はラッチ突部７８の第１傾斜面７８Ａと摺接して、回転リング７４が周方向の一方に回動する。そして、係止翼片７５がラッチ突部７８の段差面７８Ｃと当接することで、回転リング７４の回転と後退とが禁止される。これにより、回転リング７４及び力伝達バー４４は、プランジャ付勢ばね４２に抗して前進端寄り位置で停止する。即ち、ソレノイド４０の励磁を停止した状態で、装飾用透光部材３２を前進端寄り位置に停止させかつ、１対の開閉カバー３５，３６を、図４（Ｃ），図５（Ｃ）及び図６（Ｃ）に示すように、装飾用透光部材３２を前方に露出させたラッチ位置に維持することができる。
【００５４】
次に、再びソレノイド４０が励磁されてプランジャ４１が前進すると、直動リング７１がガイド溝７７Ｍを案内にして前進すると共に、その直動リング７１に押された回転リング７４が段差面７８Ｃを案内にして前進する。そして、プランジャ４１が前進端に到達すると、図１２に示すように、回転リング７４の係止翼片７５が段差面７８Ｃを乗り越えて、段差面７８Ｃと係止翼片７５との係合による回転リング７４の回転規制が解除される。そして、係止翼片７５の先端傾斜面７５Ａが、環状カム面７１Ａと摺接することで回転リング７４が周方向の一方に回動し、係止翼片７５の先端がラッチ突部７８の第２傾斜面７８Ｂと対峙する。
【００５５】
この状態で再びソレノイド４０の励磁が停止すると、プランジャ付勢ばね４２の付勢力によって回転リング７４及び直動リング７１がプランジャ４１と共に後退する。このとき、係止翼片７５の先端が、ラッチ突部７８の第２傾斜面７８Ｂと摺接して回転リング７４が周方向の一方に回動し、図１３に示すように、係止翼片７５がガイド溝７７Ｍ内に進入する。これにより、回転リング７４及び力伝達バー４４が後退端に戻される。即ち、装飾用透光部材３２が後退端まで戻されると共に、１対の開閉カバー３５，３６が、図４（Ａ），図５（Ａ）及び図６（Ａ）に示すように、装飾用透光部材３２を前方から覆った閉位置に戻される。
【００５６】
本実施形態の構成は以上である。次に本実施形態の作用を説明する。遊技領域Ｒ１に打ち込まれた遊技球は、遊技領域Ｒ１に配置された図示しない障害釘、表示装飾枠１５Ｗ、風車１７等に接触して、ランダムな経路で流下する。入賞ゲート１６を遊技球が通過すると小当たり抽選が行われる。小当たり抽選に当選すると、第２始動入賞部２３に備えた開閉扉２４が前側に倒れて始動入賞口２３Ａが開放し、開閉扉２４を案内にして始動入賞口２３Ａに遊技球が入賞可能となる。また、第１始動入賞部１８又は第２始動入賞部２３に遊技球が入賞すると、大当たり抽選が行わる。大当たり抽選に当選すると、大入賞部２０に備えた開閉扉２１が前側に倒れて大入賞口２０Ａが開放し、開閉扉２１を案内にして大入賞口２０Ａに遊技球が入賞可能となる。
【００５７】
ところで、第１始動入賞部１８に遊技球が入賞すると、その下方に配置された可動装飾装置３０が作動する。即ち、可動装飾装置３０は、常には、図４（Ａ），図５（Ａ）及び図６（Ａ）に示すように、１対の開閉カバー３５，３６が閉じた状態で停止している。即ち、キャラクターの口が閉じた状態となっている。
【００５８】
第１始動入賞部１８に遊技球が入賞（検出）したことを起因に、ソレノイド４０によってプランジャ４１が吸引され、力伝達バー４４が前進する。すると、力伝達バー４４の前端部に固定された装飾用透光部材３２が前進すると共に、１対の開閉カバー３５，３６が、それぞれの回転軸を中心にして、互いに離れるように上下に回動する。即ち、図４及び図５に示すように、キャラクターの上顎と下顎が徐々に開いて、その中から装飾用透光部材３２が現れると共に、装飾用透光部材３２が徐々に遊技者側に接近してくる。そして、装飾用透光部材３２は、遊技球を模した球面を有しその球面が金属調装飾膜で覆われているから、あたかも、キャラクターが遊技球を口で銜えているかの如く見える。また、図６（Ａ）から同図（Ｂ）への変化に示すように、第１開閉カバー３５は開放動作によって徐々に前方に迫り出し、第２開閉カバー３６は開放動作によって徐々に後方に引き下がるから、装飾用透光部材３２が遊技者側に迫り来る印象が強調される。
【００５９】
また、１対の開閉カバー３５，３６が開放して装飾用透光部材３２が露出すると、その装飾用透光部材３２の後方に固定配置されたＬＥＤ３３Ａが点灯して、装飾用透光部材３２に後方から光が照射される。これにより、キャラクターが銜えた遊技球が、内部から輝いているかの如く見える。また、ＬＥＤ３３Ａの光を受けた状態で、装飾用透光部材３２が前進することで、ＬＥＤ３３Ａと装飾用透光部材３２との距離が変化し、装飾用透光部材３２の点光を抑制可能となり、装飾用透光部材３２によっては、光を拡散・収束可能となり、装飾用透光部材３２を透過した光の見え方を変化させることができる。なお、ＬＥＤ３３Ａの点灯開始のタイミングは、１対の開閉カバー３５，３６の開放動作の開始に合わせてもよいし、図４（Ｂ），図５（Ｂ）及び図６（Ｂ）に示すように開位置（全開）になった後でもよい。
【００６０】
図４（Ｂ），図５（Ｂ）及び図６（Ｂ）に示すように、１対の開閉カバー３５，３６が開位置（全開）になりかつ、装飾用透光部材３２が前進端に到達した後、ソレノイド４０は消磁される。このとき、ラッチ機構７０が、図１１に示すようにラッチ状態になるので、力伝達バー４４は、プランジャ付勢ばね４２の付勢力に抗して後退が禁止される。これにより、装飾用透光部材３２は前進端寄り位置で停止し、１対の開閉カバー３５，３６は開位置寄りのラッチ位置（図４（Ｃ），図５（Ｃ），図６（Ｃ）に示す位置）に維持される。
【００６１】
、その後、再びソレノイド４０の励磁と消磁が繰り返されると、図１１〜図１３への変化に示すように、ラッチ機構７０がラッチ解除状態に切り替わるので、力伝達バー４４がプランジャ付勢ばね４２の付勢力によって後退端に戻される。このとき、装飾用透光部材３２が１対の開閉カバー３５，３６の奥に向かって後退すると共に、１対の開閉カバー３５，３６が徐々に閉じて閉位置（図４（Ａ），図５（Ａ），図６（Ａ）に示す位置）に戻される。
【００６２】
このように、本実施形態のパチンコ遊技機１０によれば、１対の開閉カバー３５，３６が上下に開きながら、装飾用透光部材３２がそれら開閉カバー３５，３６の奥から遊技者側に向かって前進してくるという従来にはない新規な演出動作により、趣向性を向上させることができる。
【００６３】
また、可動装飾装置３０を、第１始動入賞部１８の近傍に配置し、その第１始動入賞部１８への遊技球の入賞を起因にして、１対の開閉カバー３５，３６が開放すると共に、その開放動作に合わせて装飾用透光部材３２が前進し、さらに、装飾用透光部材３２が光るので、第１始動入賞部１８と可動装飾装置３０の注目度を相互に高め合うことができ、第１始動入賞部１８に遊技球が進入したときの遊技の雰囲気を、より盛り上げることができる。
【００６４】
また、ソレノイド４０の励磁を停止した状態で、１対の開閉カバー３５，３６を開放状態（装飾用透光部材３２を前進させた状態）に維持するラッチ機構７０を備えたので、ラッチ機構７０を備えなかった場合に比べて、消費電力を抑えることができる。
【００６５】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００６６】
（１）上記実施形態では、開閉カバーが対をなしていたが、開閉カバーは１つでもよい。また、１対の開閉カバー３５，３６は、上下に回動して開閉するように構成されていたが、左右に回動して開閉するようにしてもよい。また、開閉カバーは、上下、左右、斜めにスライドして開閉するようにしてもよい。
【００６７】
（２）上記実施形態では、装飾用透光部材３２が開閉カバー３５，３６の開閉に伴って前後方向に直動し、ＬＥＤ３３Ａがその後方に固定配置されていたが、装飾用透光部材３２とＬＥＤ３３Ａとが共に前後方向に直動するようにしてもよい。また、装飾用透光部材３２を無くして、本発明の「装飾用発光体」として備えたＬＥＤ３３Ａだけが直動するようにしてもよい。
【００６８】
（３）上記実施形態では、装飾用透光部材３２が遊技球を模した立体形状となっていたが、その他の形状でもよい。また、開閉カバー３５，３６がキャラクターの顔面を模した立体形状となっていたが、その他の形状でもよい。
【００６９】
（４）上記実施形態では、可動装飾装置３０が第１始動入賞部１８及び第２始動入賞部２３の近傍に配置されていたが、その他の入賞部２０，２２や入賞ゲート１６の近傍に配置してもよい。
【００７０】
（５）上記実施形態では、第１始動入賞部１８への遊技球の入賞を起因にして、開閉カバー３５，３６が開放するように構成されていたが、その他の入賞部２０，２２，２３又は入賞ゲート１６への入賞や、小当たり抽選や大当たり抽選での当選を起因にして開閉カバー３５，３６を開放させてもよい。また、液晶表示装置１５における演出内容に合わせて開閉カバー３５，３６が開放するようにしてもよい。
【００７１】
（６）上記実施形態では、開閉カバー３５，３６の開放動作と装飾用透光部材３２の前進動作とが、同時に開始しかつ同時に停止するように構成されていたが、開閉カバー３５，３６の開放動作の一部と、装飾用透光部材３２の前進動作の一部とが重なっていればよく、それらの動作の開始又は停止のタイミングがずれていてもよい。
【００７２】
（７）上記実施形態では、開閉カバー３５，３６と装飾用発光体（装飾用透光部材３２とを機械的に連結して連動させていたが、これらを機械的に切り離して別々の駆動源によって駆動可能とし、開閉カバー３５，３６が開放しながら、装飾用発光体（装飾用透光部材３２）が前進するように、両駆動源を制御する制御部を備えた構成としてもよい。
【符号の説明】
【００７３】
１０    パチンコ遊技機
１８    第１始動入賞部
２０    大入賞部
２２    普通入賞部
２３    第２始動入賞部
２５    固定ベース
２７    第２ヒンジ部
３０    可動装飾装置
３２    装飾用透光部材（装飾用発光体）
３３Ａ    ＬＥＤ（発光源）
３５    第１開閉カバー
３５Ａ    透光窓
３６    第２開閉カバー
４０    ソレノイド
４１    プランジャ
４２    プランジャ付勢ばね
４４    力伝達バー（連結部）
【図１】
2014200515.tif 000003
【図２】
2014200515.tif 000004
【図３】
2014200515.tif 000005
【図４】
2014200515.tif 000006
【図５】
2014200515.tif 000007
【図６】
2014200515.tif 000008
【図７】
2014200515.tif 000009
【図８】
2014200515.tif 000010
【図９】
2014200515.tif 000011
【図１０】
2014200515.tif 000012
【図１１】
2014200515.tif 000013
【図１２】
2014200515.tif 000014
【図１３】
2014200515.tif 000015